(57)【要約】【課題】キーブレードがキー収納溝に収納されている実施形態の場合であっても、指先を使用しないで、起動手段を操作することにより、キーブレードの先端部をスムースにキー収納溝から引き起こすこと。【解決手段】キー収納溝１６を有する把手本体１と、該把手本体の一端部に架設された支持軸３１に軸支されかつ前記キー収納溝にキーブレード２４が収納された収納位置から使用する使用位置の間で回転するキー本体２１と、支持軸に外嵌合すると共に持ち上げ部分４０ｄを有するレバーカム４０と、該レバーカムに摩擦係合するように把手本体に設けられた操作ボタン５０とを備え、キーブレードを使用する際、操作ボタンを該操作ボタン用復帰バネ５１のバネ力に抗して支持軸の軸方向へプッシュすると、該操作ボタンの押圧部分５２とレバーカムの受け面５３との摩擦係合により該レバーカムが所要量回転し、これにより持ち上げ部分でキー本体を回転させてキーブレードの先端部をキー収納溝から浮き上がらせる携帯型鍵。【選択図】図２
2013170412.tif 000002
【特許請求の範囲】
【請求項１】
キー収納溝を有する把手本体と、該把手本体の一端部に架設された支持軸に軸支されかつ前記キー収納溝にキーブレードが収納された収納位置から使用する使用位置の間で回転するキー本体と、前記支持軸に外嵌合すると共に持ち上げ部分を有するレバーカムと、該レバーカムに摩擦係合するように前記把手本体に設けられた操作ボタンとを備え、前記キーブレードを使用する際、前記操作ボタンを該操作ボタン用復帰バネのバネ力に抗して前記支持軸の軸方向へプッシュすると、該操作ボタンの押圧部分と前記レバーカムの受け面との摩擦係合により該レバーカムが所要量回転し、これにより前記持ち上げ部分で前記キー本体を回転させて前記キーブレードの先端部を前記キー収納溝から浮き上がらせる携帯型鍵。
【請求項２】
請求項１に於いて、把手本体の一端部には、キーブレードを使用位置へと回転させるスイング助勢機構が設けられ、該スイング助勢機構は、駆動バネと、該駆動バネに付勢されかつ凹凸のカム面を有する可動カムと、その固定側凹凸のカム面が前記可動カムの凹凸のカム面にかみ合う固定カムとを備え、これらの各部材は、軸方向に一連に組み込まれていることを特徴とする携帯型鍵。
【請求項３】
請求項１又は請求項２に於いて、把手本体は、ベース体と、該ベース体に固着具を介して取外し可能に合体する蓋体とから成ることを特徴とする携帯型鍵。
【請求項４】
請求項１に於いて、スイング助勢機構を構成する駆動バネと、該駆動バネにより固定カムの方向へ付勢される可動カムは、キー本体の筒状基端部に一体的に組み込まれた収納筒に内装されていることを特徴とする携帯型鍵。
【発明の詳細な説明】
【技術分野】
【０００１】
本発明は、建物の扉、家具、自動車等の錠前の施・解錠に使用することができる携帯型鍵に関する。
【背景技術】
【０００２】
特許文献１は、携帯機器の合鍵装備構造に関するものであるが、例えば該特許文献１の図１には、キー（マニュアルキー）１３を、本体ケース（把手）１１の一端部に支持軸を介して回転自在に設け、キー不使用時、前記キーは、把手１１の一側表面に形成された凹所（キー収納溝）２５に収納され、一方、キー使用時、キーは指先で前記凹所２５から引き出されて、把手１１と略水平状態となる使用位置へと回される携帯型鍵が開示されている（符号は公報記載のもの）。
【０００３】
特許文献１に記載の公知発明は、キー本体（マニュアルキー）１３がヒンジ軸を介して把手本体の一側面（例えばキー収納溝）にキーブレードが収納された収納位置からキーブレードを使用する使用位置の間で回転するので、携帯性や利便性を考慮したものであるが、キーブレードがキー収納溝に収納されている実施形態の場合には、キーブレードの先端部を指先で簡単にキー収納溝から引き起こすことができないという問題点がある。
【先行技術文献】
【特許文献】
【０００４】
【特許文献１】特開２００８−７５４２３号公報
【発明の概要】
【発明が解決しようとする課題】
【０００５】
本願発明の所期の目的は、キーブレードがキー収納溝に収納されている実施形態の場合であっても、指先を使用しないで、起動手段（例えば操作ボタン）を操作することにより、キーブレードの先端部をスムースにキー収納溝から引き起こすことである。第２の目的は、キーブレードの先端部がキー収納溝から浮き上がった後に、自動的に或いは多少指でキーブレードの先端部側を手前へ引くと、以後、スイング助勢機構の助勢力により、キー本体が使用位置へと回転することである。その他、スイング助勢機構を構成する駆動バネ、可動カム等の部材をキー本体の基端部を介して把手本体の一端部に簡単にセットすること（組み込む）ができる、使用位置にてキー本体がブラブラしないように保持すること等である。
【課題を解決するための手段】
【０００６】
本発明の携帯型鍵は、キー収納溝を有する把手本体と、該把手本体の一端部に架設された支持軸に軸支されかつ前記キー収納溝にキーブレードが収納された収納位置から使用する使用位置の間で回転するキー本体と、前記支持軸に外嵌合すると共に持ち上げ部分を有するレバーカムと、該に摩擦係合するように前記把手本体に設けられた操作ボタンとを備え、前記キーブレードを使用する際、前記操作ボタンを該操作ボタン用復帰バネのバネ力に抗して前記支持軸の軸方向へプッシュすると、該操作ボタンの押圧部分と前記レバーカムの受け面との摩擦係合により該レバーカムが所要量回転し、これにより前記持ち上げ部分で前記キー本体を回転させて前記キーブレードの先端部を前記キー収納溝から浮き上がらせることを特徴とする。
【０００７】
上記構成に於いて、把手本体の一端部には、キーブレードを使用位置へと回転させるスイング助勢機構が設けられ、該スイング助勢機構は、駆動バネと、該駆動バネに付勢されかつ凹凸のカム面を有する可動カムと、その固定側凹凸のカム面が前記可動カムの凹凸のカム面にかみ合う固定側のカムフロアーとを備え、これらの各部材は、軸方向に一連に組み込まれていることを特徴とする。
【発明の効果】
【０００８】
（ａ）キーブレードがキー収納溝に収納されている実施形態の場合であっても、キーブレードの先端部を指先で簡単にキー収納溝から引き起こすことができる。
（ｂ）請求項２に記載の発明は、キーブレードの先端部がキー収納溝から浮き上がった後に、自動的に或いは多少指でキーブレードの先端部側を手前へ引くと、以後、スイング助勢機構の助勢によりキー本体が使用位置へと回転する。またキー本体は、カムの一つの凸部（山）と一つの凹部（谷）を利用して、使用位置にてキーをブラブラしないように保持される。さらに、把手本体の一端部の収納空間を有効的に活用することができる。
（ｃ）請求項３に記載の発明は、所望するときは、固着具を外してキー本体を交換することができる。
（ｄ）請求項４に記載の発明は、スイング助勢機構を構成する駆動バネ、可動カム等の部材をキー本体の基端部を介して把手本体の一端部に簡単にセットすることができる、
【図面の簡単な説明】
【０００９】
図１乃至図１８は本発明の第１実施形態を示す各説明図。
【図１】携帯型鍵の全体を示す外観構成図（収納位置）。
【図２】携帯型鍵の全体を示す外観構成図（使用位置）。
【図３】平面視（一部断面）から説明図。
【図４】側面視からの説明図。
【図５】蓋体の斜視図。
【図６】ベース体の斜視図。
【図７】主要部の斜視からの概略説明図（収納位置）。
【図８】主要部の概略断面説明図（収納位置）。
【図９】操作ボタンの説明図。
【図１０】レバーカムの説明図。
【図１１】操作ボタンの押圧部分とレバーカムの受け面との技術的原理を示す概略説明図。
【図１２】（ａ）、（ｂ）、（ｃ）は作用の説明図。
【図１３】可動カムの説明図。
【図１４】固定カムの説明図。
【図１５】スイング助勢機構を構成する部材の説明図。
【図１６】操作ボタンをプッシュしたときの説明図。
【図１７】キーブレードの先端部をキー収納溝から浮き上がった説明図。
【図１８】キー本体の斜視図、
【発明を実施するための最良の形態】
【００１０】
まず、図１ないし図６を参照にして、携帯型鍵Ｘの把手本体１を説明する。図１及び図２は携帯型鍵Ｘの全体を示す外観構成図である。把手本体１は、ケース状のベース体２（図６）と、このベース体２の一側面に重ね合わせるように嵌合し、かつ、複数個の固着具３を介して合体する板状の蓋体４（図５）とから成る。
【００１１】
ここで、図６を参照にしてベース体２の構成を説明する。６は一端部の中央部に形成された支持切欠で、該支持切欠６には、後述するキー本体２１の基端部が収納される。この支持切欠６はベース体２の手前の一端（先端面）２ａから他端（後端面）２ｂの方向にかけて、かつ所定幅で横Ｌ型状に形成されている。７は一端部の左側端部に前記横Ｌ型状支持切欠６に連通するように形成された支持凹所で、この支持凹所７にはスイング助勢機構（以下、「助勢機構」という）を構成する固定カムが収納される。この支持凹所７は横Ｌ型状支持切欠６よりも小さく、後述する固定カムの大きさに対応して形成されている。
【００１２】
一方、９は一端部の右側端部に垂直の支持壁８を介して形成された半円弧状の凹所で、この半円弧状凹所９には、後述する起動手段としての操作ボタン及びレバーカムの一部が収納される。前記支持壁８の上端部は助勢機構を構成するレバーカムの円筒部分を支持するので、半円弧状に切欠されている。
【００１３】
１０は後述のレバーカムを組み込むための平面視Ｌ形状のカム凹所で、該カム凹所１０は前述した半円弧状凹所９に連通している。また、半円弧状凹所９の弧状面の中央部には、カム凹所１０に連通するガイド小溝１１が形成されている。
【００１４】
実施形態では、例えば図３、図４等で示すようにベース体２の先端面２ａ前の一端部（先端部）に、操作ボタン用の半円弧状凹所９及びガイド小溝１１、レバーカム用のカム凹所１０及びレバーカムを支持する支持壁８、キー本体の基端部用の支持切欠６、助勢機構を構成する固定カム用の支持凹所７が連通状態に形成されている。さらに、ベース体２の上面には、複数（例えば４個）の固着具３用のネジ穴１２が形成されている。なお、２ｃは裏面に相当する一側背面、２ｄは蓋体の下面と接合する面に相当する上面である。
【００１５】
次に図５を参照にして蓋体４を説明する。前述したように把手本体１は、ベース体２と、該ベース体に固着具３を介して取外し可能に合体する蓋体４とから成る。しかして、４ａは蓋体４の先端面、４ｂは後端面、４ｃは下面、４ｄは上面である。前記先端面４ａ側の一端部には、ベース体２と同様に支持切欠６と対向する基端部用切欠６Ａ、固定カム用の下向き支持凹所７Ａ、操作ボタン用の下向き半円弧状凹所９Ａ及びガイド小溝１１Ａがそれぞれ形成されている。
【００１６】
また基端部用切欠６Ａの奥には、段差状の板状受け部分１５が形成され、該板状受け部分１５の上面は、後述のキーブレードの基端部を支持する。また板状受け部分１５の後端から長手方向の他端部（実施形態では後端面）４ｂにかけてキー収納溝１６が形成されている。さらに、固着具３用のネジ穴１２Ａが複数個形成されている。なお、特に図示しないが、例えば基端部用切欠６Ａを形成する垂直壁面にキー本体の基端部の垂直面に係脱する小突起状のストッパーを設けても良い。
【００１７】
次に、ここで図１８を参照にしてキー本体２１について説明する。キー本体２１は、使用時に把手本体１に一体的設けられ、一方、交換所望時は、固着具３を把手本体１の蓋体４から取り外して取外し、脱着可能な鍵部品である。この鍵部品としてのキー本体２１は、その筒状基端部２２が把手本体１の一端部に形成された支持凹所６及び基端部切欠６Ａに位置するように装着され、図８で示すように、把手本体１の上下の支持凹所７Ａ，７に支持される固定カム、上下の支持壁８に支持されるレバーカム４０及び支持軸３１、収納筒３０等を介して該把手本体１に所定の範囲内（例えば１８０度）で回転できるように装着される。
【００１８】
しかして、２３は筒状基端部２２の外面から外方向へ突出すると共に先端開口を有する収納部分で、該収納部分２３にはキーブレード２４の幅広基端部が複数個のキーブレード用固着具２５を介して固定されている。図１はキーブレード２４が把手本体１のキー収納溝１６に完全に収まっている状態の斜視図である。これに対して、図２はキーブレード２４が使用位置である略水平状態まで回転した状態の斜視図である。ここで「略水平状態」の「略」とは、おおよその意味であり、例えば１８０度＋αの回転角も含まれる。付言すると、キーブレード２４が完全に開閉した際に、キー収納位置並びにキー使用位置の両方に於いて、キーが容易に動かないようにキーを保持するためのα角を１８０度に加味した場合も含まれている。
【００１９】
ところで、本発明の携帯型鍵Ｘは、キー収納溝１６を有する把手本１体と、該把手本体１の一端部に架設された支持軸３１に軸支されかつ前記キー収納溝１６にキーブレード２４が収納された収納位置から使用する使用位置の間で回転するキー本体２１と、前記支持軸３１に外嵌合すると共に持ち上げ部分４０ｄを有するレバーカム４０と、該レバーカムに摩擦係合するように前記把手本体１に設けられた操作ボタン５０とを備え、前記キーブレード２４を使用する際、前記操作ボタン５０を該操作ボタン用復帰バネ５１のバネ力に抗して前記支持軸３１の軸方向へプッシュすると、該操作ボタン５０の押圧部分５２と前記レバーカム４０の受け面５３との摩擦係合により、該レバーカム４０が所要量回転し、これにより前記持ち上げ部分４０ｄで前記キー本体２１を回転させて前記キーブレード２４の先端部２４ａを前記キー収納溝１６から浮き上がらせることを特徴とする（特徴事項１）。
【００２０】
そして、上記構成に於いて、前記把手本体１の一端部には、キーブレード２４を使用位置へと回転させるスイング助勢機構Ｙが設けられ、該スイング助勢機構Ｙは、キー本体２１の筒状基端部２２に一体的に組み込まれた非円形の収納筒３０と、該収納筒３０の中心部を貫通すると共に直接・間接的に把手本体１の一端部に架設された支持軸３１と、この支持軸３１の一部を囲むように前記収納筒３０の奥に内装された駆動バネ３２と、該駆動バネに付勢されかつ凹凸のカム面３３ａを有する可動カム３３と、その固定側凹凸のカム面３４ａが前記可動カムの凹凸のカム面３３ａにかみ合う固定カム３４を備え、これらの各部材は軸方向に一連に組み込まれている（特徴事項２）。
【００２１】
前記支持軸３１は、その一端部寄りの部位が、図８で示すように収納筒３０の垂直壁及び筒状基端部２２の垂直壁に形成した不番の各軸孔を貫通している。一方、支持軸３１の他端部（図８の左側）は、固定カム３４の中心部が貫通して把手本体１の右端部の支承部分に支持されている。そして、実施形態では、支持軸３１の収納筒３０の垂直壁から突出する一端部には、図１０で示すレバーカム４０が回動自在に外嵌合している。
【００２２】
そこで、図７、図８、図９等を参照にして、起動手段としての操作ボタン５０、復帰バネ５１及びスイング助勢機構Ｙを構成する各部材についてさらに説明する。
【００２３】
まず図９は操作ボタン５０の内側から見た斜視図である。図９に於いて、５０ａは指用の円形状操作部で、例えば図１、図２で示すように把手本体１の側壁から多少突出状態に露呈している。５０ｂは前記円形状操作部の内面に連設形成された短筒状のバネ収納部で、この短筒状バネ収納部５０ｂには、図８で示すように復帰バネ５１が組み込まれる。復帰バネ５１の一端部は操作ボタン５０に収納され、一方、他端部はレバーカム４０に支持される。５０ｃは短筒状バネ収納部５０ｂの外面に連設形成された複数個のガイド突起で、これらのガイド突起５０ｃは把手本体１のガイド小溝１１に案内される。
【００２４】
したがって、操作ボタン５０をレバーカム４０の方向へプッシュすると、操作ボタン５０は復帰バネ５１のバネ力に抗して、例えば上下のガイド突起５０ｃを介して直線移動可能である。さらに、短筒状バネ収納部５０ｂの外面には、周方向に所定間隔を有して複数個（３個）の受け入れ溝５０ｄが形成され、これらの受け入れ溝５０ｄは軸方向にプッシュされた操作ボタン５０の各突起部分をそれぞれ受け入れることができる。さらに５０ｅは前記受け入れ溝５０ｄを形成する少なくとも一つ突起部分で、これらの突起部分５０ｅの一つ先端縁部（押圧部分）５２は、これに対応するレバーカム４０の一つの傾斜状受け面５３と摩擦係合する。
【００２５】
次に、図１０はレバーカム４０の外側から見た斜視図である。このレバーカム４０は、操作ボタン５０が復帰バネ５１のバネ力に抗して接近して来ると、図１１で示す概略的な技術的原理により、操作ボタン５０の押圧部分（押圧縁部）５２によって該レバーカム４０に設けた一つの突起部分（受け部分）４０ｃの受け面５３を介して押し上げられる。その結果、レバーカム４０は支持軸３１の一端部に支持された状態で矢印で示すように所定角度まで回転可能である。
【００２６】
しかして、レバーカム４０は、図１０で示すように靴べら形状の垂直ベース板４０ａと、この垂直ベース板４０ａの外壁面の幅広基端部の中央部に突出形成された筒状軸部４０ｂと、この筒状軸部４０ｂに対して同心円状に突出形成された合計３個の爪状突起部分４０ｃと、垂直ベース板４０ａの先細り状自由端部の内壁面に突出形成された持ち上げ部分４０ｄとから成り、前記爪状突起部分４０ｃの少なくとも一つは、前述した操作ボタン５０の押圧部分（押圧縁部）５２と摩擦係合する傾斜状受け面５３と成っている。
【００２７】
次に、図１３は可動カム３３の説明図、一方、図１４は固定カム３４の説明図である。そして、図１５はスイング助勢機構Ｙを構成する駆動バネ３２、可動カム３３等の各部材の説明図である。これらの図から明らかなように、スイング助勢機構Ｙは、例えば収納筒３０に内装された駆動バネ３２と、該駆動バネに付勢されかつ凹凸のカム面３３ａを有する可動カム３３と、その固定側凹凸のカム面３４ａが前記可動カム３３の凹凸のカム面３３ａにかみ合う固定カム３４とを備えている。可動カム３３と固定カム３４の具体的構成は、本発明の限定事項ではないので、それらの詳細説明は割愛するが、図８で示すように、長杆状の支持軸３１の中央部には、可動カム３３が駆動バネ３２に固定カム３４の固定カム３４の頂点付近に圧接するように常時付勢された状態で外嵌合し、支持軸３１の他端部は、その外周面が非真円形状（例えばトラック形状）の固定カム３４が不番軸孔を介して外嵌合している。
【００２８】
したがって、本実施形態では、駆動バネ３２の駆動力及可動カム３３の圧接力により、キー本体２１がレバーカム４０の持ち上げ部分４０ｄで所定角度まで持ち上げられ（図１６参照）、かつ、前記固定側凹凸のカム面３４ａの頂点を乗り越えると、助勢機能の助勢力により、キー本体２１は図１７で示すように使用する位置方向に回転する。
【００２９】
なお、図１２は、キーブレード２４を使用する際、操作ボタン５０の操作部５０ａを該操作ボタン用復帰バネのバネ力５１に抗して支持軸３１の軸方向へプッシュすると、該操作ボタン５０の押圧部分５２と支持軸３１に軸支されたレバーカム４０の傾斜状受け面５３との摩擦係合により、該レバーカム４０が所要量回転し、これによりレバーカム４０の持ち上げ部分４０ｄを介して前記キー本体２１を回転させ、前記キーブレード２４の先端部２４ａが把手本体１のキー収納溝１６から浮き上がった状態を示している。
【実施例】
【００３０】
本実施形態では、発明の目的を達成するために、支持軸３１に外嵌する可動カム３３は、図１３で示すように不番の環状突壁を有する軸受けベース板部の一側面に、少なくとも、始端部に相当する一つの凸部（山）と、該凸部に傾斜状に連続すると共に終端部に相当する一つの凹部（谷）とを有する。また前記環状突壁の適宜箇所には、駆動バネ３２の端部を受け入れるバネ端支持用の切欠部が形成されている。
【００３１】
したがって、可動カム３３の前記一つの凸部（山）に対応する一つの凸部と、前記一つの凹部（谷）に対応する一つの凹部（谷）が、図１４で示す固定カム３４のカム面に設けられている。前記カム面は適宜に設計変更し得る事項である。
【００３２】
なお、本発明の限定要件ではないが、携帯型鍵Ｘは、例えば少なくとも一方がケース状のベース体２（図６）と、このベース体２の一側面に重ね合わせるように結合し、かつ、複数個の固着具３を介して合体する板状の蓋体４（図５）とから成るので、ベース体２又は蓋体４のいずれかにＩＣチップを設けることができる。
【００３３】
したがって、ＩＣチップ内蔵の携帯型鍵Ｘは、電気錠用制御手段との間で識別情報を送信するための非接触型電気錠システムの構成要件として利用することもできる。
【産業上の利用可能性】
【００３４】
本発明は、建物の扉、家具、自動車等の錠前を機械式に施・解錠するに使用することができる。
【符号の説明】
【００３５】
Ｘ…携帯型鍵、Ｙ…スイング助勢機構、１…把手本体、２…ベース体、３…固着具、４…蓋体、１６…キー収納溝、２４…キーブレード、２４ａ…先端部、３１…支持軸、３３…可動カム、３３ａ…可動カムの凹凸のカム面、３４…固定カム、３４ａ…固定側凹凸のカム面、５０…操作ボタン、５１…操作ボタン用復帰バネ、５２…押圧部分、５３…受け面、２１…キー本体、３２…駆動バネ、４０…レバーカム、４０ｄ…持ち上げ部分。
【図１】
2013170412.tif 000003
【図２】
2013170412.tif 000004
【図３】
2013170412.tif 000005
【図４】
2013170412.tif 000006
【図５】
2013170412.tif 000007
【図６】
2013170412.tif 000008
【図７】
2013170412.tif 000009
【図８】
2013170412.tif 000010
【図９】
2013170412.tif 000011
【図１０】
2013170412.tif 000012
【図１１】
2013170412.tif 000013
【図１２】
2013170412.tif 000014
【図１３】
2013170412.tif 000015
【図１４】
2013170412.tif 000016
【図１５】
2013170412.tif 000017
【図１６】
2013170412.tif 000018
【図１７】
2013170412.tif 000019
【図１８】
2013170412.tif 000020